(57)【要約】尿サンプル中の少なくとも３つのポリペプチドの存在または非存在または振幅を決定する工程を含む、腎疾患の診断方法であって、前記ポリペプチドマーカーが、分子量および移動時間の値によってテーブル１で特徴付けられるマーカーから選択される、診断方法。
2010521000.tif 000002
【特許請求の範囲】
【請求項１】
尿サンプル中の少なくとも３つのポリペプチドの存在または非存在または振幅を決定する工程を含む、腎疾患の診断方法であって、前記ポリペプチドマーカーが、分子量および移動時間の値によってテーブル１で特徴付けられるマーカーから選択される、診断方法。
【請求項２】
前記診断が、鑑別診断であることを特徴とする請求項１に記載の方法。
【請求項３】
決定されるマーカーの存在または非存在または振幅の評価が以下の参照値によって行われることを特徴とする請求項１又は２に記載の方法：
−  テーブル２による、「健常」と腎疾患の存在との鑑別診断；
−  テーブル３による、カルシニューリン阻害剤による病変と他の疾病との鑑別診断；
−  テーブル４による、糖尿病性腎症と他の疾病との鑑別診断；
−  テーブル５による、巣状分節状糸球体硬化症と他の疾病との鑑別診断；
−  テーブル６による、IgA腎症と他の疾病との鑑別診断；
−  テーブル７による、微小変化型疾患と他の疾病との鑑別診断；
−  テーブル８による、膜型糸球体腎炎と他の疾病との鑑別診断；
−  テーブル９による、ループス腎炎と他の疾病との鑑別診断；
−  テーブル１０による、急性血管炎と他の疾病との鑑別診断；
−  テーブル１１による、血管炎と他の疾病との鑑別診断；
−  テーブル１２による、カルシニューリン阻害剤による病変と糖尿病性腎症との鑑別診断；
−  テーブル１３による、カルシニューリン阻害剤による病変と巣状分節状糸球体硬化症との鑑別診断；
−  テーブル１４による、カルシニューリン阻害剤による病変と微小変化型疾患との鑑別診断；
−  テーブル１５による、カルシニューリン阻害剤による病変と膜型糸球体腎炎との鑑別診断；
−  テーブル１６による、カルシニューリン阻害剤による病変と正常対照群との鑑別診断；
−  テーブル１７による、カルシニューリン阻害剤による病変とループス腎炎との鑑別診断；
−  テーブル１８による、カルシニューリン阻害剤による病変と急性血管炎との鑑別診断；
−  テーブル１９による、カルシニューリン阻害剤による病変と血管炎との鑑別診断；
−  テーブル２０による、糖尿病性腎症と巣状分節状糸球体硬化症との鑑別診断；
−  テーブル２１による、糖尿病性腎症と微小変化型疾患との鑑別診断；
−  テーブル２２による、糖尿病性腎症と膜型糸球体腎炎との鑑別診断；
−  テーブル２３による、糖尿病性腎症と正常対照群との鑑別診断；
−  テーブル２４による、糖尿病性腎症とループス腎炎との鑑別診断；
−  テーブル２５による、糖尿病性腎症と急性血管炎との鑑別診断；
−  テーブル２６による、糖尿病性腎症と血管炎との鑑別診断；
−  テーブル２７による、巣状分節状糸球体硬化症と微小変化型疾患との鑑別診断；
−  テーブル２８による、巣状分節状糸球体硬化症と膜型糸球体腎炎との鑑別診断；
−  テーブル２９による、巣状分節状糸球体硬化症と正常対照群との鑑別診断；
−  テーブル３０による、巣状分節状糸球体硬化症とループス腎炎との鑑別診断；
−  テーブル３１による、巣状分節状糸球体硬化症と急性血管炎との鑑別診断；
−  テーブル３２による、巣状分節状糸球体硬化症と血管炎との鑑別診断；
−  テーブル３３による、IgA腎症とカルシニューリン阻害剤による病変との鑑別診断；
−  テーブル３４による、IgA腎症と糖尿病性腎症との鑑別診断；
−  テーブル３５による、IgA腎症と巣状分節状糸球体硬化症との鑑別診断；
−  テーブル３６による、IgA腎症と微小変化型疾患との鑑別診断；
−  テーブル３７による、IgA腎症と膜型糸球体腎炎との鑑別診断；
−  テーブル３８による、IgA腎症と正常対照群との鑑別診断；
−  テーブル３９による、IgA腎症とループス腎炎との鑑別診断；
−  テーブル４０による、IgA腎症と急性血管炎との鑑別診断；
−  テーブル４１による、IgA腎症と血管炎との鑑別診断；
−  テーブル４２による、微小変化型疾患と膜型糸球体腎炎との鑑別診断；
−  テーブル４３による、微小変化型疾患と正常対照群との鑑別診断；
−  テーブル４４による、微小変化型疾患とループス腎炎との鑑別診断；
−  テーブル４５による、微小変化型疾患と急性血管炎との鑑別診断；
−  テーブル４６による、微小変化型疾患と血管炎との鑑別診断；
−  テーブル４７による、膜型糸球体腎炎と正常対照群との鑑別診断；
−  テーブル４８による、膜型糸球体腎炎とループス腎炎との鑑別診断；
−  テーブル４９による、膜型糸球体腎炎と急性血管炎との鑑別診断；
−  テーブル５０による、膜型糸球体腎炎と血管炎との鑑別診断；
−  テーブル５１による、ループス腎炎と正常対照群との鑑別診断；
−  テーブル５２による、ループス腎炎と急性血管炎との鑑別診断；
−  テーブル５３による、ループス腎炎と血管炎との鑑別診断；
−  テーブル５４による、急性血管炎と正常対照群との鑑別診断；
−  テーブル５５による、血管炎と正常対照群との鑑別診断。
【請求項４】
少なくとも５個、少なくとも６個、すくなくとも８個、少なくとも１０個、少なくとも２０個、又は少なくとも５０個の請求項１で定義されたポリペプチドマーカーが使用される請求項１〜３の少なくとも１項に記載の方法。
【請求項５】
被験者からの前記のサンプルが中間尿サンプルである請求項１〜４のいずれかに記載の方法。
【請求項６】
キャピラリー電気泳動、HPLC、気相イオン分光法、および／または質量分析が、前記ポリペプチドマーカーの存在または非存在または振幅を検出するために用いられる請求項１〜５のいずれかに記載の方法。
【請求項７】
前記ポリペプチドマーカーの分子量を測定する前にキャピラリー電気泳動を行う請求項１〜６のいずれかに記載の方法。
【請求項８】
前記ポリペプチドマーカーの存在または非存在を検出するために質量分析が用いられる請求項１〜７のいずれかに記載の方法。
【請求項９】
分子量および移動時間の値によって特徴付けられるテーブル１に従ったマーカーから選択される、少なくとも３つのペプチドマーカーの、腎疾患の診断のための、使用。
【請求項１０】
腎疾患の診断方法であって、
a)サンプルを少なくとも３個好ましくは１０個のサブサンプルに分離する工程；
b)少なくとも５個のサブサンプルをサンプル中の少なくとも１つのポリペプチドマーカーの存在または非存在または振幅を決定するために分析する工程であって、前記ポリペプチドマーカーは、分子量および移動時間（CE時間）によって特徴付けられる、テーブル１のマーカーから選択される工程
を含む方法。
【請求項１１】
少なくとも１０個のサブサンプルが測定される請求項１０に記載の方法。
【請求項１２】
前記CE時間が、印加電圧25kVで、長さ90cm及び内径（ID）50μmのガラスキャピラリーに基づくことを特徴とし、ここで、水中の２０％アセトニトリル、0.25％ギ酸が移動溶媒として用いられる請求項１〜１１の少なくとも一項に記載の方法。
【請求項１３】
分子量および移動時間（CE時間）によって特徴付けられるテーブル１のマーカーから選択される少なくとも10個のマーカーを含む、マーカーの組み合わせ。
【請求項１４】
感度が、少なくとも６０％であり、特異性が少なくとも６０％である請求項１〜８又は請求項１０〜１２の少なくとも一項に記載の方法。
【発明の詳細な説明】
【技術分野】
【０００１】
本発明は、腎疾患の診断、特に鑑別診断に関する。
【背景技術】
【０００２】
近年、腎疾患の患者数は著しく増加している。従って、腎疾患は医療制度に対する深刻化する問題を象徴している。
【０００３】
腎疾患は不可逆的であるので、腎疾患の早期診断および鑑別診断は非常に重要である。特定の疾患に正確に適合する早期診断および療法により、患者が透析に依存するようになるリスクを減じ得る。加えて、狙いどころの良い療法もまた、このような患者の心血管疾患を発症する高リスクを減じる。
【０００４】
現在、正確な診断または鑑別診断は、主に腎生検に基づく。腎臓の診断において、生検は現在は「究極の判断基準」と見なされているが、患者の選別のためのみに実施され、侵襲的処置であるという不利点を有する。
【０００５】
尿検査は、腎疾患の診断のためのさらなるアプローチである。しかし、現在は、例えばクレアチニン、尿素、アルブミン、血球（特に白血球および赤血球）、細菌、糖、ウロビリノーゲン、ビリルビンおよびpH値等、いくつかのパラメータしか測定されない。特に鑑別診断のためには、充分な感度および選択性に欠けることから、このような分析の診断の価値は限定的である。
【０００６】
尿中のタンパク質を特性化する、種々の試みがなされている。
【０００７】
V.ソングブーンカード(Thongboonkerd)らは、キドニー・インターナショナル(Kidney International)、63巻（2001年）、1461〜1469頁（非特許文献１）において、尿サンプルの検査のため、マトリクス支援レーザー脱離イオン化飛行時間型質量分析法（MALDI-TOF）に接続した二次元ポリアクリルアミドゲル電気泳動（2D-PAGE）の後、質量フィンガープリントを行うことを記載している。全部で、47の個別のタンパク質の67の形態が同定された。
【０００８】
C.S.スパー(Spahr)らは、プロテオミクス(Proteomics)、1巻（2001年）、93〜107頁（非特許文献２）において、トリプシンを用いて尿サンプルからタンパク質を分割し、液体クロマトグラフィーおよびタンデム質量分析により、124のタンパク質から751のペプチドを解明することができた。
【０００９】
この研究は、健常者のみに関するものであった。この研究では、尿中のポリペプチド組成の変化を検出することが腎疾患の診断または鑑別診断に有用であるかどうかという疑問は扱わなかった。
【００１０】
膜型糸球体腎炎（MGN）の診断のため、尿中のポリペプチドの存在または非存在を使用することが提案されている（フォン・ノイホフ(von Neuhoff)ら、「異発現タンパク質検出のための質量分析：表面増強レーザー脱離イオン化質量分析とキャピラリー電気泳動質量分析との比較(Mass Spectrometry for the Detection of Differentially Expressed Proteins: A comparison of Surface-Enhanced Laser Desorption/Ionization and Capillary Electrophoresis/Mass Spectrometry)」、ラピッド・コミュニケーションズ・イン・マス・スペクトロメトリ(Rapid Communications in Mass Spectrometry)、18巻(2004年)、149-156頁（非特許文献３））。しかし、この研究には8例の患者しか含まれず、実質的に種々の分析法に取り組んでいた。患者数が少ないため、これらのマーカーの実際の診断価値は不明確である。
【００１１】
E.M.ヴァイシンガー(Weissinger)らは、キドニー・インターナショナル(Kidney International)、65巻（2004年）、2426〜2434頁（非特許文献４）において、キャピラリー電気泳動および質量分析を用いた、プロテオームのパターン分析を記載している。種々の腎疾患を罹患する患者を区別するために特定されたペプチドの数は少なかった。
【００１２】
M.ホービッツ(Haubitz)らは、キドニー・インターナショナル(Kidney International)、67巻（2005年）、2313〜2320頁（非特許文献５）において、IgA腎症を診断する診断補助としての、尿タンパク質のパターンを記載している。特定されたペプチドは、健常被験者と患者とを区別するために使用し得る。しかし、特定されたペプチドの数は少ない。
【００１３】
H.ミシャク(Mischak)らは、クリニカル・サイエンス(Clinical Science)、107巻（2004年）、485〜495頁（非特許文献６）において、糖尿病性腎臓障害の評価のためのプロテオーム分析を記載している。疾病が進行するにつれて、発生頻度がより高くなるか低くなる、少数のペプチドが特定された。
【００１４】
これらの研究では、サンプル数が少ないために、腎疾患の診断、特に鑑別診断に充分な特異性を達成し得ない。従って、腎疾患の診断、特に鑑別診断のための、迅速で簡便な方法が未だに必要とされている。
【先行技術文献】
【非特許文献】
【００１５】
【非特許文献１】キドニー・インターナショナル(Kidney International)、63巻（2001年）、1461〜1469頁
【非特許文献２】プロテオミクス(Proteomics)、1巻（2001年）、93〜107頁
【非特許文献３】ラピッド・コミュニケーションズ・イン・マス・スペクトロメトリ(Rapid Communications in Mass Spectrometry)、18巻(2004年)、149-156頁
【非特許文献４】キドニー・インターナショナル(Kidney International)、65巻（2004年）、2426〜2434頁
【非特許文献５】キドニー・インターナショナル(Kidney International)、67巻（2005年）、2313〜2320頁
【非特許文献６】クリニカル・サイエンス(Clinical Science)、107巻（2004年）、485〜495頁
【発明の概要】
【発明が解決しようとする課題】
【００１６】
従って、本発明の目的は、腎疾患の診断、特に腎疾患の鑑別診断のための、方法および手段を提供することである。
【課題を解決するための手段】
【００１７】
この目的は、尿サンプル中の少なくとも３つのポリペプチドの存在または非存在または振幅（量）を決定する工程を含む、腎疾患の診断方法であって、ポリペプチドマーカーが、分子量および移動時間の値によってテーブル１で特徴付けられるマーカーから選択される、診断方法によって達成される。
【００１８】
特に、本発明による診断は、鑑別診断である。測定されるポリペプチドは、以下の制限を勘案したマーカーの存在または非存在または振幅に基づいて評価し得る：
【００１９】
−  テーブル２による、「健常」と腎疾患の存在との鑑別診断；
−  テーブル３による、カルシニューリン阻害剤による病変と他の疾病との鑑別診断；
−  テーブル４による、糖尿病性腎症と他の疾病との鑑別診断；
−  テーブル５による、巣状分節状糸球体硬化症と他の疾病との鑑別診断；
−  テーブル６による、IgA腎症と他の疾病との鑑別診断；
−  テーブル７による、微小変化型疾患と他の疾病との鑑別診断；
−  テーブル８による、膜型糸球体腎炎と他の疾病との鑑別診断；
−  テーブル９による、ループス腎炎と他の疾病との鑑別診断；
−  テーブル１０による、急性血管炎と他の疾病との鑑別診断；
【００２０】
−  テーブル１１による、血管炎と他の疾病との鑑別診断；
−  テーブル１２による、カルシニューリン阻害剤による病変と糖尿病性腎症との鑑別診断；
−  テーブル１３による、カルシニューリン阻害剤による病変と巣状分節状糸球体硬化症との鑑別診断；
−  テーブル１４による、カルシニューリン阻害剤による病変と微小変化型疾患との鑑別診断；
−  テーブル１５による、カルシニューリン阻害剤による病変と膜型糸球体腎炎との鑑別診断；
−  テーブル１６による、カルシニューリン阻害剤による病変と正常対照群との鑑別診断；
−  テーブル１７による、カルシニューリン阻害剤による病変とループス腎炎との鑑別診断；
−  テーブル１８による、カルシニューリン阻害剤による病変と急性血管炎との鑑別診断；
−  テーブル１９による、カルシニューリン阻害剤による病変と血管炎との鑑別診断；
−  テーブル２０による、糖尿病性腎症と巣状分節状糸球体硬化症との鑑別診断；
【００２１】
−  テーブル２１による、糖尿病性腎症と微小変化型疾患との鑑別診断；
−  テーブル２２による、糖尿病性腎症と膜型糸球体腎炎との鑑別診断；
−  テーブル２３による、糖尿病性腎症と正常対照群との鑑別診断；
−  テーブル２４による、糖尿病性腎症とループス腎炎との鑑別診断；
−  テーブル２５による、糖尿病性腎症と急性血管炎との鑑別診断；
−  テーブル２６による、糖尿病性腎症と血管炎との鑑別診断；
−  テーブル２７による、巣状分節状糸球体硬化症と微小変化型疾患との鑑別診断；
−  テーブル２８による、巣状分節状糸球体硬化症と膜型糸球体腎炎との鑑別診断；
−  テーブル２９による、巣状分節状糸球体硬化症と正常対照群との鑑別診断；
−  テーブル３０による、巣状分節状糸球体硬化症とループス腎炎との鑑別診断；
【００２２】
−  テーブル３１による、巣状分節状糸球体硬化症と急性血管炎との鑑別診断；
−  テーブル３２による、巣状分節状糸球体硬化症と血管炎との鑑別診断；
−  テーブル３３による、IgA腎症とカルシニューリン阻害剤による病変との鑑別診断；
−  テーブル３４による、IgA腎症と糖尿病性腎症との鑑別診断；
−  テーブル３５による、IgA腎症と巣状分節状糸球体硬化症との鑑別診断；
−  テーブル３６による、IgA腎症と微小変化型疾患との鑑別診断；
−  テーブル３７による、IgA腎症と膜型糸球体腎炎との鑑別診断；
−  テーブル３８による、IgA腎症と正常対照群との鑑別診断；
−  テーブル３９による、IgA腎症とループス腎炎との鑑別診断；
−  テーブル４０による、IgA腎症と急性血管炎との鑑別診断；
【００２３】
−  テーブル４１による、IgA腎症と血管炎との鑑別診断；
−  テーブル４２による、微小変化型疾患と膜型糸球体腎炎との鑑別診断；
−  テーブル４３による、微小変化型疾患と正常対照群との鑑別診断；
−  テーブル４４による、微小変化型疾患とループス腎炎との鑑別診断；
−  テーブル４５による、微小変化型疾患と急性血管炎との鑑別診断；
−  テーブル４６による、微小変化型疾患と血管炎との鑑別診断；
−  テーブル４７による、膜型糸球体腎炎と正常対照群との鑑別診断；
−  テーブル４８による、膜型糸球体腎炎とループス腎炎との鑑別診断；
−  テーブル４９による、膜型糸球体腎炎と急性血管炎との鑑別診断；
−  テーブル５０による、膜型糸球体腎炎と血管炎との鑑別診断；
−  テーブル５１による、ループス腎炎と正常対照群との鑑別診断；
−  テーブル５２による、ループス腎炎と急性血管炎との鑑別診断；
−  テーブル５３による、ループス腎炎と血管炎との鑑別診断；
−  テーブル５４による、急性血管炎と正常対照群との鑑別診断；
−  テーブル５５による、血管炎と正常対照群との鑑別診断。
【図面の簡単な説明】
【００２４】
【図１−１】テーブル１を示す。
【図１−２】テーブル１を示す。
【図１−３】テーブル１を示す。
【図１−４】テーブル１を示す。
【図１−５】テーブル１を示す。
【図１−６】テーブル１を示す。
【図１−７】テーブル１を示す。
【図１−８】テーブル１を示す。
【図１−９】テーブル１を示す。
【図１−１０】テーブル１を示す。
【図１−１１】テーブル１を示す。
【図１−１２】テーブル１を示す。
【図１−１３】テーブル１を示す。
【図１−１４】テーブル１を示す。
【図１−１５】テーブル１を示す。
【図１−１６】テーブル１を示す。
【図２−１】テーブル２を示す。
【図２−２】テーブル２を示す。
【図２−３】テーブル２を示す。
【図２−４】テーブル２を示す。
【図２−５】テーブル２を示す。
【図３−１】テーブル３を示す。
【図３−２】テーブル３を示す。
【図３−３】テーブル３を示す。
【図３−４】テーブル３を示す。
【図３−５】テーブル３を示す。
【図３−６】テーブル３を示す。
【図４−１】テーブル４を示す。
【図４−２】テーブル４を示す。
【図４−３】テーブル４を示す。
【図４−４】テーブル４を示す。
【図４−５】テーブル４を示す。
【図５−１】テーブル５を示す。
【図５−２】テーブル５を示す。
【図５−３】テーブル５を示す。
【図５−４】テーブル５を示す。
【図５−５】テーブル５を示す。
【図６−１】テーブル６を示す。
【図６−２】テーブル６を示す。
【図７−１】テーブル７を示す。
【図７−２】テーブル７を示す。
【図７−３】テーブル７を示す。
【図７−４】テーブル７を示す。
【図８−１】テーブル８を示す。
【図８−２】テーブル８を示す。
【図８−３】テーブル８を示す。
【図８−４】テーブル８を示す。
【図８−５】テーブル８を示す。
【図８−６】テーブル８を示す。
【図９−１】テーブル９を示す。
【図９−２】テーブル９を示す。
【図９−３】テーブル９を示す。
【図９−４】テーブル９を示す。
【図１０−１】テーブル１０を示す。
【図１０−２】テーブル１０を示す。
【図１０−３】テーブル１０を示す。
【図１０−４】テーブル１０を示す。
【図１０−５】テーブル１０を示す。
【図１０−６】テーブル１０を示す。
【図１０−７】テーブル１０を示す。
【図１１−１】テーブル１１を示す。
【図１１−２】テーブル１１を示す。
【図１１−３】テーブル１１を示す。
【図１１−４】テーブル１１を示す。
【図１２−１】テーブル１２を示す。
【図１２−２】テーブル１２を示す。
【図１２−３】テーブル１２を示す。
【図１２−４】テーブル１２を示す。
【図１２−５】テーブル１２を示す。
【図１２−６】テーブル１２を示す。
【図１２−７】テーブル１２を示す。
【図１３−１】テーブル１３を示す。
【図１３−２】テーブル１３を示す。
【図１３−３】テーブル１３を示す。
【図１３−４】テーブル１３を示す。
【図１３−５】テーブル１３を示す。
【図１３−６】テーブル１３を示す。
【図１３−７】テーブル１３を示す。
【図１４−１】テーブル１４を示す。
【図１４−２】テーブル１４を示す。
【図１４−３】テーブル１４を示す。
【図１４−４】テーブル１４を示す。
【図１４−５】テーブル１４を示す。
【図１４−６】テーブル１４を示す。
【図１４−７】テーブル１４を示す。
【図１５−１】テーブル１５を示す。
【図１５−２】テーブル１５を示す。
【図１５−３】テーブル１５を示す。
【図１５−４】テーブル１５を示す。
【図１５−５】テーブル１５を示す。
【図１５−６】テーブル１５を示す。
【図１５−７】テーブル１５を示す。
【図１５−８】テーブル１５を示す。
【図１６−１】テーブル１６を示す。
【図１６−２】テーブル１６を示す。
【図１６−３】テーブル１６を示す。
【図１６−４】テーブル１６を示す。
【図１６−５】テーブル１６を示す。
【図１６−６】テーブル１６を示す。
【図１６−７】テーブル１６を示す。
【図１７−１】テーブル１７を示す。
【図１７−２】テーブル１７を示す。
【図１７−３】テーブル１７を示す。
【図１７−４】テーブル１７を示す。
【図１７−５】テーブル１７を示す。
【図１７−６】テーブル１７を示す。
【図１７−７】テーブル１７を示す。
【図１８−１】テーブル１８を示す。
【図１８−２】テーブル１８を示す。
【図１８−３】テーブル１８を示す。
【図１８−４】テーブル１８を示す。
【図１８−５】テーブル１８を示す。
【図１８−６】テーブル１８を示す。
【図１８−７】テーブル１８を示す。
【図１８−８】テーブル１８を示す。
【図１８−９】テーブル１８を示す。
【図１９−１】テーブル１９を示す。
【図１９−２】テーブル１９を示す。
【図１９−３】テーブル１９を示す。
【図１９−４】テーブル１９を示す。
【図１９−５】テーブル１９を示す。
【図１９−６】テーブル１９を示す。
【図２０−１】テーブル２０を示す。
【図２０−２】テーブル２０を示す。
【図２０−３】テーブル２０を示す。
【図２０−４】テーブル２０を示す。
【図２０−５】テーブル２０を示す。
【図２１−１】テーブル２１を示す。
【図２１−２】テーブル２１を示す。
【図２１−３】テーブル２１を示す。
【図２１−４】テーブル２１を示す。
【図２１−５】テーブル２１を示す。
【図２１−６】テーブル２１を示す。
【図２２−１】テーブル２２を示す。
【図２２−２】テーブル２２を示す。
【図２２−３】テーブル２２を示す。
【図２２−４】テーブル２２を示す。
【図２２−５】テーブル２２を示す。
【図２３−１】テーブル２３を示す。
【図２３−２】テーブル２３を示す。
【図２３−３】テーブル２３を示す。
【図２３−４】テーブル２３を示す。
【図２３−５】テーブル２３を示す。
【図２３−６】テーブル２３を示す。
【図２３−７】テーブル２３を示す。
【図２４−１】テーブル２４を示す。
【図２４−２】テーブル２４を示す。
【図２４−３】テーブル２４を示す。
【図２４−４】テーブル２４を示す。
【図２４−５】テーブル２４を示す。
【図２４−６】テーブル２４を示す。
【図２４−７】テーブル２４を示す。
【図２５−１】テーブル２５を示す。
【図２５−２】テーブル２５を示す。
【図２５−３】テーブル２５を示す。
【図２５−４】テーブル２５を示す。
【図２５−５】テーブル２５を示す。
【図２５−６】テーブル２５を示す。
【図２５−７】テーブル２５を示す。
【図２５−８】テーブル２５を示す。
【図２６−１】テーブル２６を示す。
【図２６−２】テーブル２６を示す。
【図２６−３】テーブル２６を示す。
【図２６−４】テーブル２６を示す。
【図２６−５】テーブル２６を示す。
【図２７−１】テーブル２７を示す。
【図２７−２】テーブル２７を示す。
【図２７−３】テーブル２７を示す。
【図２７−４】テーブル２７を示す。
【図２７−５】テーブル２７を示す。
【図２８−１】テーブル２８を示す。
【図２８−２】テーブル２８を示す。
【図２８−３】テーブル２８を示す。
【図２８−４】テーブル２８を示す。
【図２８−５】テーブル２８を示す。
【図２９−１】テーブル２９を示す。
【図２９−２】テーブル２９を示す。
【図２９−３】テーブル２９を示す。
【図２９−４】テーブル２９を示す。
【図２９−５】テーブル２９を示す。
【図２９−６】テーブル２９を示す。
【図３０−１】テーブル３０を示す。
【図３０−２】テーブル３０を示す。
【図３０−３】テーブル３０を示す。
【図３０−４】テーブル３０を示す。
【図３０−５】テーブル３０を示す。
【図３１−１】テーブル３１を示す。
【図３１−２】テーブル３１を示す。
【図３１−３】テーブル３１を示す。
【図３１−４】テーブル３１を示す。
【図３１−５】テーブル３１を示す。
【図３１−６】テーブル３１を示す。
【図３１−７】テーブル３１を示す。
【図３１−８】テーブル３１を示す。
【図３２−１】テーブル３２を示す。
【図３２−２】テーブル３２を示す。
【図３２−３】テーブル３２を示す。
【図３２−４】テーブル３２を示す。
【図３２−５】テーブル３２を示す。
【図３２−６】テーブル３２を示す。
【図３３−１】テーブル３３を示す。
【図３３−２】テーブル３３を示す。
【図３３−３】テーブル３３を示す。
【図３３−４】テーブル３３を示す。
【図３３−５】テーブル３３を示す。
【図３３−６】テーブル３３を示す。
【図３３−７】テーブル３３を示す。
【図３４−１】テーブル３４を示す。
【図３４−２】テーブル３４を示す。
【図３４−３】テーブル３４を示す。
【図３４−４】テーブル３４を示す。
【図３４−５】テーブル３４を示す。
【図３５−１】テーブル３５を示す。
【図３５−２】テーブル３５を示す。
【図３５−３】テーブル３５を示す。
【図３５−４】テーブル３５を示す。
【図３５−５】テーブル３５を示す。
【図３６−１】テーブル３６を示す。
【図３６−２】テーブル３６を示す。
【図３６−３】テーブル３６を示す。
【図３６−４】テーブル３６を示す。
【図３７−１】テーブル３７を示す。
【図３７−２】テーブル３７を示す。
【図３７−３】テーブル３７を示す。
【図３７−４】テーブル３７を示す。
【図３７−５】テーブル３７を示す。
【図３７−６】テーブル３７を示す。
【図３８−１】テーブル３８を示す。
【図３８−２】テーブル３８を示す。
【図３８−３】テーブル３８を示す。
【図３８−４】テーブル３８を示す。
【図３８−５】テーブル３８を示す。
【図３８−６】テーブル３８を示す。
【図３９−１】テーブル３９を示す。
【図３９−２】テーブル３９を示す。
【図３９−３】テーブル３９を示す。
【図３９−４】テーブル３９を示す。
【図３９−５】テーブル３９を示す。
【図４０−１】テーブル４０を示す。
【図４０−２】テーブル４０を示す。
【図４０−３】テーブル４０を示す。
【図４０−４】テーブル４０を示す。
【図４０−５】テーブル４０を示す。
【図４０−６】テーブル４０を示す。
【図４０−７】テーブル４０を示す。
【図４１−１】テーブル４１を示す。
【図４１−２】テーブル４１を示す。
【図４１−３】テーブル４１を示す。
【図４１−４】テーブル４１を示す。
【図４１−５】テーブル４１を示す。
【図４２−１】テーブル４２を示す。
【図４２−２】テーブル４２を示す。
【図４２−３】テーブル４２を示す。
【図４２−４】テーブル４２を示す。
【図４２−５】テーブル４２を示す。
【図４２−６】テーブル４２を示す。
【図４３−１】テーブル４３を示す。
【図４３−２】テーブル４３を示す。
【図４３−３】テーブル４３を示す。
【図４３−４】テーブル４３を示す。
【図４３−５】テーブル４３を示す。
【図４４−１】テーブル４４を示す。
【図４４−２】テーブル４４を示す。
【図４４−３】テーブル４４を示す。
【図４４−４】テーブル４４を示す。
【図４４−５】テーブル４４を示す。
【図４５−１】テーブル４５を示す。
【図４５−２】テーブル４５を示す。
【図４５−３】テーブル４５を示す。
【図４５−４】テーブル４５を示す。
【図４５−５】テーブル４５を示す。
【図４５−６】テーブル４５を示す。
【図４５−７】テーブル４５を示す。
【図４５−８】テーブル４５を示す。
【図４５−９】テーブル４５を示す。
【図４６−１】テーブル４６を示す。
【図４６−２】テーブル４６を示す。
【図４６−３】テーブル４６を示す。
【図４６−４】テーブル４６を示す。
【図４６−５】テーブル４６を示す。
【図４６−６】テーブル４６を示す。
【図４７−１】テーブル４７を示す。
【図４７−２】テーブル４７を示す。
【図４７−３】テーブル４７を示す。
【図４７−４】テーブル４７を示す。
【図４７−５】テーブル４７を示す。
【図４７−６】テーブル４７を示す。
【図４７−７】テーブル４７を示す。
【図４８−１】テーブル４８を示す。
【図４８−２】テーブル４８を示す。
【図４８−３】テーブル４８を示す。
【図４８−４】テーブル４８を示す。
【図４８−５】テーブル４８を示す。
【図４８−６】テーブル４８を示す。
【図４９−１】テーブル４９を示す。
【図４９−２】テーブル４９を示す。
【図４９−３】テーブル４９を示す。
【図４９−４】テーブル４９を示す。
【図４９−５】テーブル４９を示す。
【図４９−６】テーブル４９を示す。
【図４９−７】テーブル４９を示す。
【図４９−８】テーブル４９を示す。
【図４９−９】テーブル４９を示す。
【図５０−１】テーブル５０を示す。
【図５０−２】テーブル５０を示す。
【図５０−３】テーブル５０を示す。
【図５０−４】テーブル５０を示す。
【図５０−５】テーブル５０を示す。
【図５０−６】テーブル５０を示す。
【図５１−１】テーブル５１を示す。
【図５１−２】テーブル５１を示す。
【図５１−３】テーブル５１を示す。
【図５１−４】テーブル５１を示す。
【図５１−５】テーブル５１を示す。
【図５２−１】テーブル５２を示す。
【図５２−２】テーブル５２を示す。
【図５２−３】テーブル５２を示す。
【図５２−４】テーブル５２を示す。
【図５２−５】テーブル５２を示す。
【図５２−６】テーブル５２を示す。
【図５２−７】テーブル５２を示す。
【図５２−８】テーブル５２を示す。
【図５３−１】テーブル５３を示す。
【図５３−２】テーブル５３を示す。
【図５３−３】テーブル５３を示す。
【図５３−４】テーブル５３を示す。
【図５３−５】テーブル５３を示す。
【図５４−１】テーブル５４を示す。
【図５４−２】テーブル５４を示す。
【図５４−３】テーブル５４を示す。
【図５４−４】テーブル５４を示す。
【図５４−５】テーブル５４を示す。
【図５４−６】テーブル５４を示す。
【図５４−７】テーブル５４を示す。
【図５４−８】テーブル５４を示す。
【図５４−９】テーブル５４を示す。
【図５４−１０】テーブル５４を示す。
【図５５−１】テーブル５５を示す。
【図５５−２】テーブル５５を示す。
【図５５−３】テーブル５５を示す。
【図５５−４】テーブル５５を示す。
【図５５−５】テーブル５５を示す。
【図５５−６】テーブル５５を示す。
【発明を実施するための形態】
【００２５】
「他の疾病」とは、前記の疾病以外の、（記載した疾病の中の）腎疾患を意味する。
【００２６】
テーブル中、「平均値（mean）」とは、算術平均、即ち、全ての値の合計を、値の数で割ったものを意味する。
【００２７】
「中央値(median)」は、リストの中央の値、即ち、リスト中の値の少なくとも半分が超さない、最小の値である。値が奇数個の場合は、中央値は、増加する順に整理したリストの中央の値である。値が偶数個の場合は、中央値は、上記の整理で得られる２つの中央の値の合計を２で割ったものである。
【００２８】
テーブル中、平均値および中央値は、０を含まずに計算し、即ち、実際に測定した値のみについて計算する。測定した０値を含むと、対応して値は下がる。平均値および中央値は、個々の値に頻度の値を掛けて計算し得る。例えば、平均値219.30は、テーブル２において、ID629番のマーカーについて記載される。測定の49％が値０であるので、これらのデータを考慮に入れた場合、「平均値」は111.84である。
【００２９】
特異度は、実際の陰性サンプル数を、実際の陰性サンプル数と偽陽性サンプル数の合計で割ったものと定義される。特異度100％とは、試験が、全ての健常人を健常であると認識すること、即ち、健常被験者が一人も有病と識別されないことを意味する。このことは、試験が有病者を認識する信頼性については、全く言及しない。
【００３０】
感度は、実際の陽性サンプル数を、実際の陽性サンプル数と偽陰性サンプル数の合計で割ったものと定義される。感度100％とは、試験が全ての有病者を認識することを意味する。このことは、試験がいかに確実に健常者を認識するかについては、全く言及しない。
【００３１】
本発明のマーカーによって、診断が望まれる上記疾病のそれぞれについて、特異度が少なくとも60％、好ましくは少なくとも70％、より好ましくは少なくとも80％、さらにより好ましくは少なくとも90％および最も好ましくは少なくとも95％に達することが可能である。
【００３２】
本発明のマーカーによって、診断が望まれる上記疾病のそれぞれについて、感度が少なくとも60％、好ましくは少なくとも70％、より好ましくは少なくとも80％、さらにより好ましくは少なくとも90％および最も好ましくは少なくとも95％に達することが可能である。
【００３３】
移動時間は、キャピラリー電気泳動（CE）によって測定し、例えば、実施例中、項目２において説明する通りである。この実施例において、長さ90cm、内径（ID）50μm、外形（OD）360μmのガラスキャピラリーを、30kVの印加電圧で操作する。移動溶媒として、例えば、水中の30％メタノールおよび0.5％ギ酸が用いられる。
【００３４】
CE移動時間は変化し得ることが知られている。しかし、ポリペプチドマーカーが溶出される順は、使用されるそれぞれのCE系の記載した条件下で、典型的には同じである。それでも、発生し得る移動時間のあらゆる差異をバランスするために、移動時間が正確に知られている標準物質を使用して、システムを標準化し得る。これらの標準物質は、例えば、実施例に記載するポリペプチド（実施例、項目３参照）であり得る。
【００３５】
テーブル中に示されるポリペプチドの特性は、キャピラリー電気泳動−質量分析（CE-MS）、例えばノイホフ(Neuhoff)らによって詳細に記載されている方法（Rapid communications in mass spectrometry、2004年、20巻、149-156頁）によって決定される。個々の測定間または種々の質量分析計間の分子量の変化は、検定が正確である場合、相対的に小さく、典型的には(0.01%または (0.005％の範囲内である。
【００３６】
本発明のポリペプチドマーカーは、タンパク質またはペプチド、またはタンパク質またはペプチドの分解産物である。それらは、例えば、グリコシル化、リン酸化、アルキル化またはジスルフィド架橋等の翻訳後修飾によって、または、例えば分解の範囲内の他の反応によって、化学的に修飾されていてもよい。加えて、ポリペプチドマーカーは、サンプルの精製の過程で、例えば酸化等、化学的に変化していてもよい。
【００３７】
ポリペプチドマーカーを決定するパラメーター（分子量および移動時間）から開始し、従来技術で知られている方法によって対応するポリペプチドの配列を特定することは可能である。
【００３８】
本発明のポリペプチドは、腎疾患を診断するために使用される。
【００３９】
「診断」とは、症状または現象を疾病または傷害に帰属させることによって情報を得る一連の行為を意味する。ここでは、特定のポリペプチドマーカーの存在または非存在もまた、鑑別診断のために使用される。ポリペプチドマーカーの存在または非存在は、従来技術において知られているあらゆる方法によって測定し得る。使用することができる方法を以下に例示する。
【００４０】
ポリペプチドマーカーは、その測定値が、少なくともその閾値と同程度であれば、存在すると見なされる。測定値が閾値より低い場合は、ポリペプチドマーカーは非存在と見なされる。閾値は、測定方法の感度（検出限界）により決定されるか、または経験から規定される。
【００４１】
本発明の状況において、閾値は、好ましくは、ある分子量についてサンプルの測定値がブランク（例えば、緩衝液または溶媒のみ）の測定値の少なくとも２倍である場合に、超過すると見なされる。
【００４２】
ポリペプチドマーカーは、その存在または非存在を測定するような方法で使用され、存在または非存在は腎疾患の指標となる。従って、腎疾患を有する患者に典型的に存在するが、腎疾患のない被験者において発生しないか、発生頻度が低い、ポリペプチドマーカーがある。さらに、腎疾患を有する被験者において存在するが、腎疾患のない被験者において発生しないか、発生頻度が低い、ポリペプチドマーカーがある。
【００４３】
頻度マーカー（存在または非存在の決定）に加えて、またはその代わりとしても、振幅マーカーも診断に使用してもよい。振幅マーカーは、存在または非存在は重大ではないが、シグナルが両群に存在する場合にシグナルの高さ（振幅）決定的に重要であるような方法で使用される。テーブル中には、測定した全てのサンプルで平均した、対応するシグナル（質量および移動時間で特性化）の平均振幅を記載する。様々に濃縮されたサンプル間、または種々の測定方法間での同等性を達成するため、２つの正規化法が考えられる。第一のアプローチでは、サンプルの全てのペプチドシグナルを、１ミリオンの全振幅に正規化する。従って、個々のマーカーのそれぞれの平均振幅は、百万分の１（ppm）として示される。
【００４４】
加えて、代わりの正規化法によってさらなる振幅マーカーを規定することが可能である：この場合、１つのサンプルの全てのペプチドシグナルは、通常の正規化因子で増減される。従って、個々のサンプルのペプチド振幅と、全ての知られているポリペプチドの参照値との間に、線形回帰が形成される。線形回帰の傾きは、相対濃度にまさに対応し、このサンプルの正規化因子として用いられる。
【００４５】
信頼できる平均振幅を得るため、用いた全ての群は、少なくとも２０例の患者または対照サンプルよりなる。診断の決定は、対照群または「有病」群の平均振幅と比較して、患者サンプルにおける各ポリペプチドマーカーの振幅がどの程度高いかの関数としてなされる。値が「有病」群の平均振幅に近い場合は、腎疾患の存在が考えられ、値がむしろ対象群の平均振幅に対応する場合は、腎疾患が存在しないと考えられる。平均振幅からの距離は、ある群に属するサンプルの可能性として解釈し得る。
【００４６】
或いは、測定値と平均振幅との距離が、ある群に属するサンプルの可能性と見なし得る。
【００４７】
頻度マーカーは、いくつかのサンプルにおいて振幅が小さい場合の、振幅マーカーの変形である。検出限界のオーダーに対してマーカーの振幅が非常に小さく、振幅の計算を満たさない、対応するサンプルを包含することによって、このような頻度マーカーを振幅マーカーに変換することは可能である。
【００４８】
１以上のポリペプチドマーカーの存在または非存在を決定するサンプルを採取する被験者は、腎疾患を患い得るどのような被験者であってもよい。好ましくは、被験者は哺乳類であり、最も好ましくはヒトである。
【００４９】
本発明の好ましい態様では、３つのポリペプチドマーカーだけではなく、より多数のポリペプチドマーカーの組み合わせを用いて鑑別診断を可能にする。正確な腎疾患は、それらの存在または非存在から結論付けられる。複数のポリペプチドマーカーを比較することにより、個々の典型的な存在可能性からいくつかが個々に逸脱することによる全体の結果としてのバイアスが、低減または回避され得る。
【００５０】
本発明のペプチドマーカーの存在または非存在を測定するサンプルは、被験者の体から得られるどのようなサンプルであってもよい。サンプルは、被験者の状態についての情報の提供に好適なポリペプチド組成物を有するサンプルである。例えば、サンプルは、血液、尿、滑液、組織液、身体分泌液、汗、脳脊髄液、リンパ液、腸、胃または膵液、胆汁、涙液、組織サンプル、精液、膣液または糞便サンプルであり得る。好ましくは液体サンプルである。
【００５１】
好ましい態様において、サンプルは尿サンプルである。
【００５２】
尿サンプルは、従来技術において好まれた通り、採取し得る。好ましくは、本発明の状況において、中間尿サンプルを使用する。例えば、尿サンプルは、カテーテルを用いて、または国際特許WO 01/74275号に記載された排尿装置によっても採取し得る。
【００５３】
サンプル中のポリペプチドマーカーの存在または非存在は、ポリペプチドマーカーの測定に好適な、従来技術で知られているどのような方法によって決定してもよい。このような方法は当業者に知られている。原理上、ポリペプチドマーカーの存在または非存在は、質量分析等の直接法、または、例えばリガンドを用いる間接法によって、決定し得る。
【００５４】
必要とされるか望ましい場合、被験者からのサンプル、例えば尿サンプルは、あらゆる好適な手段で前処理してもよく、例えば、ポリペプチドマーカーの存在または非存在を測定する前に、精製または分離してもよい。処理は、例えば、精製、分離、希釈または濃縮を含み得る。方法は、例えば、遠心分離、濾過、限外濾過、透析、沈殿、またはアフィニティー分離もしくはイオン交換クロマトグラフィーによる分離等のクロマトグラフィー法、または電気泳動分離であり得る。それらの特別な例は、ゲル電気泳動、２次元ポリアクリルアミドゲル電気泳動（2D-PAGE）、キャピラリー電気泳動、金属アフィニティークロマトグラフィー、固定化金属アフィニティークロマトグラフィー（IMAC）、レクチン系アフィニティークロマトグラフィー、液体クロマトグラフィー、高速液体クロマトグラフィー（HPLC）、順相および逆相HPLC、カチオン交換クロマトグラフィーおよび表面への選択的結合である。これらの方法はすべて当業者によく知られており、当業者は、使用されるサンプル、およびポリペプチドマーカーの存在または非存在を決定する方法に応じて、方法を選択することが可能であろう。
【００５５】
本発明の一つの態様において、サンプルは、測定する前に、キャピラリー電気泳動で分離するか、超遠心分離によって精製するか、および／または、限外濾過によって特別な分子サイズのポリペプチドマーカーを含有する分画に分ける。
【００５６】
好ましくは、ポリペプチドマーカーの存在または非存在を決定するために、質量分析法を使用するが、サンプルの精製または分離は、このような方法の上流で実施すればよい。現在使用される方法と比較して、質量分析は、サンプルの多数のポリペプチド（＞100）の濃度を一回の分析で定量し得るという利点を有する。どのような種類の質量分析計を使用してもよい。質量分析により、複雑な混合物において、通常約±0.01％の測定精度を有し、10fmolのポリペプチドマーカー、即ち、0.1ngの10kDのタンパク質を測定することが可能である。質量分析計において、イオン形成ユニットは、好適な分析装置とつながっている。例えば、液体サンプル中のイオンの測定には、多くはエレクトロスプレイイオン化（ESI）インタフェイスが用いられ、一方、マトリックス中で結晶化したサンプル由来のイオンの測定には、MALDI（マトリックス支援レーザー脱離イオン化）技術が用いられる。形成されたイオンの分析には、例えば、四重極イオントラップまたは飛行時間（TOF）分析器を用いればよい。
【００５７】
エレクトロスプレイイオン化（ESI）において、溶液中に存在する分子は、とりわけ高電圧（例えば1〜8kV）の影響下で細分化され、溶媒の蒸発によりさらに小さくなる、帯電液滴を形成する。最終的に、いわゆるクーロン爆発により、遊離イオンが形成され、遊離イオンはその後分析および検出することができる。
【００５８】
TOFによるイオンの分析では、イオンに等量の運動エネルギーを与える、特定の加速電圧が適用される。その後、それぞれのイオンが飛行管を通って特定のドリフト距離を移動する時間を、非常に正確に測定する。等量の運動エネルギーを有するので、イオンの速度はその質量に依存し、故に、後者を決定することができる。TOF分析器は、走査速度が非常に高速であるので、良好な分解能に達する。
【００５９】
ポリペプチドマーカーの存在または非存在の好ましい測定方法は、レーザー脱離イオン化質量分析、MALDI-TOF MS、SELDI-TOF MS（表面増強レーザー脱離イオン化）、LC MS（液体クロマトグラフィー質量分析）、2D-PAGE/MSおよびキャピラリー電気泳動質量分析（CE-MS）等の、気相イオン分光法を含む。記載した全ての方法は、当業者に知られている。
【００６０】
特に好ましい方法はCE-MSであり、キャピラリー電気泳動は質量分析とつながっている。この方法は、例えばドイツ国特許出願DE 10021737号、カイザー(Kaiser)ら（J. Chromatogr A、2003年、1013巻、157-171頁およびElectrophoresis、2004年、25巻、2044-2055頁）およびヴィッケ(Wittke)ら（J. Chromatogr. A、2003年、1013巻、173-181頁）に詳細に記載されている。CE-MS技術により、サンプルの数百のポリペプチドマーカーの存在を、短時間内に同時に、小容量において高感度で、決定することが可能になる。サンプルを測定した後、測定したポリペプチドマーカーのパターンを調製し、このパターンを、有病または健康な被験者の参照パターンと比較し得る。ほとんどの場合、UASの診断には、限定数のポリペプチドマーカーを用いることで充分である。ESI-TOF MSとオンラインでつながっているCEを含む、CE-MS法が、さらに好ましい。
【００６１】
CE-MSには、揮発性溶媒の使用が好ましく、実質的に無塩の条件下で実施することが最良である。好適な溶媒の例としては、アセトニトリル、メタノール等が挙げられる。検体、好ましくはポリペプチドをプロトン化するため、溶媒を水または酸（例えば、0.1％〜1％のギ酸）で希釈し得る。
【００６２】
キャピラリー電気泳動を用い、分子を電荷および大きさによって分離することが可能である。中性粒子は、電流の適用に際し、電気浸透の流速で移動するであろうが、一方、カチオンはカソードに向けて加速され、アニオンは遅くなる。電気泳動におけるキャピラリーの利点は、表面の容量に対する割合が好ましいことであり、この割合により、電流が流れる間に生成されるジュール熱が良好に消散され得る。このことは、同様に、高電圧（通常30kV以下）の適用を可能にし、ひいては高分離性能および短時間の分析を可能にする。
【００６３】
キャピラリー電気泳動では、典型的には内径が50〜75μmのシリカガラスキャピラリーが通常使用される。使用される長さは30〜100cmである。加えて、キャピラリーは通常、プラスチックでコートしたシリカガラスで作られる。キャピラリーは、未処理、即ち、内部表面上にその親水基が剥き出しになっていてもよく、内部表面上がコートされていてもよい。分解能を向上させるため、疎水性コーティングを使用してもよい。電圧に加えて、圧力も適用し得るが、典型的には0〜1psiの範囲である。圧力は、分離の間のみ適用してもよく、または、合間に変えてもよい。
【００６４】
好ましいポリペプチドマーカーの測定方法において、サンプルのマーカーは、キャピラリー電気泳動によって分離し、その後、直接イオン化し、つながった検出用の質量分析計中に、オンラインで移される。
【００６５】
本発明の方法において、診断用のいくつかのポリペプチドマーカーを使用することは有利である。
【００６６】
少なくとも5、6、8または10のマーカーを使用することが好ましい。
【００６７】
一つの態様において、20〜50のマーカーを使用する。
【００６８】
より好ましくは、米国特許US 2006/028660211号に記載されるマーカーだけが使用されるのではない。
【００６９】
いくつかのマーカーを使用する場合、疾病の存在の可能性を決定するために、当業者に知られている統計方法を使用してもよい。例えば、ヴァイシンガー(Weissinger)らによるランダムフォレスト法（Kidney Int.、2004年、65巻、2426-2434頁）を、S-Plus等のコンピュータプログラム、または、同文献に記載されたサポートベクターマシンを使用することによって、使用してもよい。
【実施例】
【００７０】
１．サンプルの調製
診断用のポリペプチドマーカーの検出のため、尿を使用した。健康なドナー（対照群）および腎疾患を罹患する患者から、尿を採取した。
【００７１】
その後のCE-MS測定のため、アルブミンおよび免疫グロブリン等の、患者の尿中に高濃度で含有されるタンパク質を、限外濾過によって分離しなければならなかった。従って、700μlの尿を採取し、700μlの濾過緩衝液（2M 尿素、10mM アンモニア、0.02％ SDS）と混合した。この1.4mlのサンプル容量を限外濾過した（20kDa、サルトリウス(Sartorius)、独国ゲッティンゲン）。限外濾過は、1.1mlの限外濾過液が得られるまで、3000rpmの遠心において実施した。
【００７２】
次に、得られた1.1mlの濾液を、PD 10 カラム（アマルシャム・バイオサイエンス、スウェーデン、ウプサラ）に適用し、2.5mlの0.01% NH4OHで脱塩し、凍結乾燥した。CE-MS測定のため、次に、ポリペプチドを20μlの水（HPLCグレード、メルク）に再懸濁した。
【００７３】
２．CE-MS測定
ベックマン・コールター・キャピラリー電気泳動システム（P/ACE MDQ System; Beckman Coulter Inc.、米国カリフォルニア州フラートン）およびブルカーESI-TOF質量分析計（micro-TOF MS, Bruker Daltonik、独国ブレーメン）を用い、CE-MS測定を実施した。
【００７４】
CEキャピラリーはベックマン・コールターより提供され、ID/ODは50/360μmであり、長さは90cmであった。CE分離用の移動相は、水中、20％のアセトニトリルおよび0.25％のギ酸より構成された。MSに対する「シースフロー」には、30％イソプロパノールと0.5％ギ酸を使用し、ここでの流速は2μl/分であった。CEとMSの連結は、CE-ESI-MSスプレイヤーキット（Agilent Technologies、独国ヴァルトブロン）により実現させた。
【００７５】
サンプル注入には、1〜最大6psiの圧力を適用し、注入期間は99秒であった。これらのパラメータで、約150μlのサンプルをキャピラリーに注入したが、これはキャピラリー容量の約10％に相当する。スタッキング技術を用いて、キャピラリー中のサンプルを濃縮した。このように、サンプルを注入する前に、1M NH3溶液を7秒間注入し（1psiにて）、サンプル注入後、2Mギ酸溶液を5秒間注入した。分離電圧（30kV）を適用し、検体をこれらの溶液間で自動的に濃縮した。
【００７６】
その後、圧力法でCE分離を実施した：0psiで40分間、その後、0.1psiで2分間、0.2psiで2分間、0.3psiで2分間、0.4psiで2分間、最後に0.5psiで32分間。従って、分離工程の全期間は80分であった。
【００７７】
MS側で可能な限り良好なシグナル強度を得るために、噴霧気体は最低可能値となった。エレクトロスプレーを発生させるためにスプレーニードルに適用される電圧は3700〜4100Vであった。質量分析計のその他の設定は、メーカーの使用説明書に従って、ペプチド検出用に最適化した。スペクトルは、m/z 400〜m/z 3000の質量範囲で記録し、3秒毎に累積した。
【００７８】
３．CE測定基準
CE測定の検査および標準化には、選択された条件下、記載したCE移動時間によって特徴付けられる以下のタンパク質またはポリペプチドを使用した：
【００７９】
タンパク質/ポリペプチド                                       移動時間
アプロチニン(SIGMA, 独国タウフキルヒェン, Cat. # A1153)        19.3分
リボヌクレアーゼ(SIGMA, 独国タウフキルヒェン, Cat. # R4875)    19.55分
リゾチーム(SIGMA, 独国タウフキルヒェン, Cat. # L7651)          19.28分
"REV", 配列: REVQSKIGYGRQIIS                                   20.95分
"ELM", 配列: ELMTGELPYSHINNRDQIIFMVGR                          23.49分
"KINCON", 配列: TGSLPYSHIGSRDQIIFMVGR                          22.62分
"GIVLY", 配列: GIVLYELMTGELPYSHIN                              32.2分
【００８０】
タンパク質／ポリペプチドは、それぞれ、水中10pmol/μlの濃度で使用した。"REV"、"ELM"、"KINCON"および"GIVLY"は合成ペプチドである。
【００８１】
ペプチドの分子量およびMSに現れる個々の荷電状態のm/z比を以下の表に記す：
【００８２】
【表１】
2010521000.tif 000003
【００８３】
原理上、キャピラリー電気泳動による分離において、移動時間のわずかな変化が起こり得ることは、当業者には知られている。しかし、記載した条件下では、移動順序は変わらない。記載した質量およびCE時間を知る当業者には、本発明のポリペプチドマーカーに対して、それぞれの測定を割り当てることは、難なく可能である。例えば、測定は以下のように進行し得る：最初に、測定において検出されるポリペプチドの１つを選択し（ペプチド１）、記載したCE時間のタイムスロット（例えば、(5分）において１以上の一致する質量を探す。この間隔内で見つかる一致する質量が１つだけの場合は、割り当ては完了する。いくつかの質量が適合する場合は、割り当ての決定はなおも行われなければならない。従って、測定からもう一つのペプチド（ペプチド２）を選択し、適当なポリペプチドマーカーの特定を試み、再度対応するタイムスロットを勘案する。
【００８４】
再度、対応する質量にいくつかのマーカーを見つけ得る場合には、最も可能性の高い割り当ては、ペプチド１のシフトとペプチド２のシフトの間に実質的に直線関係があるものである。
【００８５】
割り当ての問題の複雑さによっては、例えば１０のタンパク質等、割り当てのサンプルからさらなるタンパク質を任意に使用することを、当業者は考えつく。典型的には、移動時間は、特別の絶対値によって延長または短縮されるか、経過全体の圧縮または拡張が起こる。しかし、共に移動するペプチドは、このような条件下でまた共に移動するであろう。
【００８６】
加えて、当業者は、エレクトロフォレシス(Electrophoresis)、27巻(2006年)、2111-2125頁において、ツェルビッヒ(Zuerbig)らが記載した移動パターンを使用し得る。簡単な図表（例えば、MSエクセル）を用いて、m/z対移動時間の形態で測定値をプロットすると、記載される線のパターンも現れる。ここで、個々のポリペプチドの簡単な割り当ては、線を数えることによって可能である。
【００８７】
割り当ての他のアプローチも可能である。基本的に、当業者は、上記のペプチドを、CE測定値を割り当てるための内部標準として使用することもあり得る。
【図１−１】
2010521000.tif 000004
【図１−２】
2010521000.tif 000005
【図１−３】
2010521000.tif 000006
【図１−４】
2010521000.tif 000007
【図１−５】
2010521000.tif 000008
【図１−６】
2010521000.tif 000009
【図１−７】
2010521000.tif 000010
【図１−８】
2010521000.tif 000011
【図１−９】
2010521000.tif 000012
【図１−１０】
2010521000.tif 000013
【図１−１１】
2010521000.tif 000014
【図１−１２】
2010521000.tif 000015
【図１−１３】
2010521000.tif 000016
【図１−１４】
2010521000.tif 000017
【図１−１５】
2010521000.tif 000018
【図１−１６】
2010521000.tif 000019
【図２−１】
2010521000.tif 000020
【図２−２】
2010521000.tif 000021
【図２−３】
2010521000.tif 000022
【図２−４】
2010521000.tif 000023
【図２−５】
2010521000.tif 000024
【図３−１】
2010521000.tif 000025
【図３−２】
2010521000.tif 000026
【図３−３】
2010521000.tif 000027
【図３−４】
2010521000.tif 000028
【図３−５】
2010521000.tif 000029
【図３−６】
2010521000.tif 000030
【図４−１】
2010521000.tif 000031
【図４−２】
2010521000.tif 000032
【図４−３】
2010521000.tif 000033
【図４−４】
2010521000.tif 000034
【図４−５】
2010521000.tif 000035
【図５−１】
2010521000.tif 000036
【図５−２】
2010521000.tif 000037
【図５−３】
2010521000.tif 000038
【図５−４】
2010521000.tif 000039
【図５−５】
2010521000.tif 000040
【図６−１】
2010521000.tif 000041
【図６−２】
2010521000.tif 000042
【図７−１】
2010521000.tif 000043
【図７−２】
2010521000.tif 000044
【図７−３】
2010521000.tif 000045
【図７−４】
2010521000.tif 000046
【図８−１】
2010521000.tif 000047
【図８−２】
2010521000.tif 000048
【図８−３】
2010521000.tif 000049
【図８−４】
2010521000.tif 000050
【図８−５】
2010521000.tif 000051
【図８−６】
2010521000.tif 000052
【図９−１】
2010521000.tif 000053
【図９−２】
2010521000.tif 000054
【図９−３】
2010521000.tif 000055
【図９−４】
2010521000.tif 000056
【図１０−１】
2010521000.tif 000057
【図１０−２】
2010521000.tif 000058
【図１０−３】
2010521000.tif 000059
【図１０−４】
2010521000.tif 000060
【図１０−５】
2010521000.tif 000061
【図１０−６】
2010521000.tif 000062
【図１０−７】
2010521000.tif 000063
【図１１−１】
2010521000.tif 000064
【図１１−２】
2010521000.tif 000065
【図１１−３】
2010521000.tif 000066
【図１１−４】
2010521000.tif 000067
【図１２−１】
2010521000.tif 000068
【図１２−２】
2010521000.tif 000069
【図１２−３】
2010521000.tif 000070
【図１２−４】
2010521000.tif 000071
【図１２−５】
2010521000.tif 000072
【図１２−６】
2010521000.tif 000073
【図１２−７】
2010521000.tif 000074
【図１３−１】
2010521000.tif 000075
【図１３−２】
2010521000.tif 000076
【図１３−３】
2010521000.tif 000077
【図１３−４】
2010521000.tif 000078
【図１３−５】
2010521000.tif 000079
【図１３−６】
2010521000.tif 000080
【図１３−７】
2010521000.tif 000081
【図１４−１】
2010521000.tif 000082
【図１４−２】
2010521000.tif 000083
【図１４−３】
2010521000.tif 000084
【図１４−４】
2010521000.tif 000085
【図１４−５】
2010521000.tif 000086
【図１４−６】
2010521000.tif 000087
【図１４−７】
2010521000.tif 000088
【図１５−１】
2010521000.tif 000089
【図１５−２】
2010521000.tif 000090
【図１５−３】
2010521000.tif 000091
【図１５−４】
2010521000.tif 000092
【図１５−５】
2010521000.tif 000093
【図１５−６】
2010521000.tif 000094
【図１５−７】
2010521000.tif 000095
【図１５−８】
2010521000.tif 000096
【図１６−１】
2010521000.tif 000097
【図１６−２】
2010521000.tif 000098
【図１６−３】
2010521000.tif 000099
【図１６−４】
2010521000.tif 000100
【図１６−５】
2010521000.tif 000101
【図１６−６】
2010521000.tif 000102
【図１６−７】
2010521000.tif 000103
【図１７−１】
2010521000.tif 000104
【図１７−２】
2010521000.tif 000105
【図１７−３】
2010521000.tif 000106
【図１７−４】
2010521000.tif 000107
【図１７−５】
2010521000.tif 000108
【図１７−６】
2010521000.tif 000109
【図１７−７】
2010521000.tif 000110
【図１８−１】
2010521000.tif 000111
【図１８−２】
2010521000.tif 000112
【図１８−３】
2010521000.tif 000113
【図１８−４】
2010521000.tif 000114
【図１８−５】
2010521000.tif 000115
【図１８−６】
2010521000.tif 000116
【図１８−７】
2010521000.tif 000117
【図１８−８】
2010521000.tif 000118
【図１８−９】
2010521000.tif 000119
【図１９−１】
2010521000.tif 000120
【図１９−２】
2010521000.tif 000121
【図１９−３】
2010521000.tif 000122
【図１９−４】
2010521000.tif 000123
【図１９−５】
2010521000.tif 000124
【図１９−６】
2010521000.tif 000125
【図２０−１】
2010521000.tif 000126
【図２０−２】
2010521000.tif 000127
【図２０−３】
2010521000.tif 000128
【図２０−４】
2010521000.tif 000129
【図２０−５】
2010521000.tif 000130
【図２１−１】
2010521000.tif 000131
【図２１−２】
2010521000.tif 000132
【図２１−３】
2010521000.tif 000133
【図２１−４】
2010521000.tif 000134
【図２１−５】
2010521000.tif 000135
【図２１−６】
2010521000.tif 000136
【図２２−１】
2010521000.tif 000137
【図２２−２】
2010521000.tif 000138
【図２２−３】
2010521000.tif 000139
【図２２−４】
2010521000.tif 000140
【図２２−５】
2010521000.tif 000141
【図２３−１】
2010521000.tif 000142
【図２３−２】
2010521000.tif 000143
【図２３−３】
2010521000.tif 000144
【図２３−４】
2010521000.tif 000145
【図２３−５】
2010521000.tif 000146
【図２３−６】
2010521000.tif 000147
【図２３−７】
2010521000.tif 000148
【図２４−１】
2010521000.tif 000149
【図２４−２】
2010521000.tif 000150
【図２４−３】
2010521000.tif 000151
【図２４−４】
2010521000.tif 000152
【図２４−５】
2010521000.tif 000153
【図２４−６】
2010521000.tif 000154
【図２４−７】
2010521000.tif 000155
【図２５−１】
2010521000.tif 000156
【図２５−２】
2010521000.tif 000157
【図２５−３】
2010521000.tif 000158
【図２５−４】
2010521000.tif 000159
【図２５−５】
2010521000.tif 000160
【図２５−６】
2010521000.tif 000161
【図２５−７】
2010521000.tif 000162
【図２５−８】
2010521000.tif 000163
【図２６−１】
2010521000.tif 000164
【図２６−２】
2010521000.tif 000165
【図２６−３】
2010521000.tif 000166
【図２６−４】
2010521000.tif 000167
【図２６−５】
2010521000.tif 000168
【図２７−１】
2010521000.tif 000169
【図２７−２】
2010521000.tif 000170
【図２７−３】
2010521000.tif 000171
【図２７−４】
2010521000.tif 000172
【図２７−５】
2010521000.tif 000173
【図２８−１】
2010521000.tif 000174
【図２８−２】
2010521000.tif 000175
【図２８−３】
2010521000.tif 000176
【図２８−４】
2010521000.tif 000177
【図２８−５】
2010521000.tif 000178
【図２９−１】
2010521000.tif 000179
【図２９−２】
2010521000.tif 000180
【図２９−３】
2010521000.tif 000181
【図２９−４】
2010521000.tif 000182
【図２９−５】
2010521000.tif 000183
【図２９−６】
2010521000.tif 000184
【図３０−１】
2010521000.tif 000185
【図３０−２】
2010521000.tif 000186
【図３０−３】
2010521000.tif 000187
【図３０−４】
2010521000.tif 000188
【図３０−５】
2010521000.tif 000189
【図３１−１】
2010521000.tif 000190
【図３１−２】
2010521000.tif 000191
【図３１−３】
2010521000.tif 000192
【図３１−４】
2010521000.tif 000193
【図３１−５】
2010521000.tif 000194
【図３１−６】
2010521000.tif 000195
【図３１−７】
2010521000.tif 000196
【図３１−８】
2010521000.tif 000197
【図３２−１】
2010521000.tif 000198
【図３２−２】
2010521000.tif 000199
【図３２−３】
2010521000.tif 000200
【図３２−４】
2010521000.tif 000201
【図３２−５】
2010521000.tif 000202
【図３２−６】
2010521000.tif 000203
【図３３−１】
2010521000.tif 000204
【図３３−２】
2010521000.tif 000205
【図３３−３】
2010521000.tif 000206
【図３３−４】
2010521000.tif 000207
【図３３−５】
2010521000.tif 000208
【図３３−６】
2010521000.tif 000209
【図３３−７】
2010521000.tif 000210
【図３４−１】
2010521000.tif 000211
【図３４−２】
2010521000.tif 000212
【図３４−３】
2010521000.tif 000213
【図３４−４】
2010521000.tif 000214
【図３４−５】
2010521000.tif 000215
【図３５−１】
2010521000.tif 000216
【図３５−２】
2010521000.tif 000217
【図３５−３】
2010521000.tif 000218
【図３５−４】
2010521000.tif 000219
【図３５−５】
2010521000.tif 000220
【図３６−１】
2010521000.tif 000221
【図３６−２】
2010521000.tif 000222
【図３６−３】
2010521000.tif 000223
【図３６−４】
2010521000.tif 000224
【図３７−１】
2010521000.tif 000225
【図３７−２】
2010521000.tif 000226
【図３７−３】
2010521000.tif 000227
【図３７−４】
2010521000.tif 000228
【図３７−５】
2010521000.tif 000229
【図３７−６】
2010521000.tif 000230
【図３８−１】
2010521000.tif 000231
【図３８−２】
2010521000.tif 000232
【図３８−３】
2010521000.tif 000233
【図３８−４】
2010521000.tif 000234
【図３８−５】
2010521000.tif 000235
【図３８−６】
2010521000.tif 000236
【図３９−１】
2010521000.tif 000237
【図３９−２】
2010521000.tif 000238
【図３９−３】
2010521000.tif 000239
【図３９−４】
2010521000.tif 000240
【図３９−５】
2010521000.tif 000241
【図４０−１】
2010521000.tif 000242
【図４０−２】
2010521000.tif 000243
【図４０−３】
2010521000.tif 000244
【図４０−４】
2010521000.tif 000245
【図４０−５】
2010521000.tif 000246
【図４０−６】
2010521000.tif 000247
【図４０−７】
2010521000.tif 000248
【図４１−１】
2010521000.tif 000249
【図４１−２】
2010521000.tif 000250
【図４１−３】
2010521000.tif 000251
【図４１−４】
2010521000.tif 000252
【図４１−５】
2010521000.tif 000253
【図４２−１】
2010521000.tif 000254
【図４２−２】
2010521000.tif 000255
【図４２−３】
2010521000.tif 000256
【図４２−４】
2010521000.tif 000257
【図４２−５】
2010521000.tif 000258
【図４２−６】
2010521000.tif 000259
【図４３−１】
2010521000.tif 000260
【図４３−２】
2010521000.tif 000261
【図４３−３】
2010521000.tif 000262
【図４３−４】
2010521000.tif 000263
【図４３−５】
2010521000.tif 000264
【図４４−１】
2010521000.tif 000265
【図４４−２】
2010521000.tif 000266
【図４４−３】
2010521000.tif 000267
【図４４−４】
2010521000.tif 000268
【図４４−５】
2010521000.tif 000269
【図４５−１】
2010521000.tif 000270
【図４５−２】
2010521000.tif 000271
【図４５−３】
2010521000.tif 000272
【図４５−４】
2010521000.tif 000273
【図４５−５】
2010521000.tif 000274
【図４５−６】
2010521000.tif 000275
【図４５−７】
2010521000.tif 000276
【図４５−８】
2010521000.tif 000277
【図４５−９】
2010521000.tif 000278
【図４６−１】
2010521000.tif 000279
【図４６−２】
2010521000.tif 000280
【図４６−３】
2010521000.tif 000281
【図４６−４】
2010521000.tif 000282
【図４６−５】
2010521000.tif 000283
【図４６−６】
2010521000.tif 000284
【図４７−１】
2010521000.tif 000285
【図４７−２】
2010521000.tif 000286
【図４７−３】
2010521000.tif 000287
【図４７−４】
2010521000.tif 000288
【図４７−５】
2010521000.tif 000289
【図４７−６】
2010521000.tif 000290
【図４７−７】
2010521000.tif 000291
【図４８−１】
2010521000.tif 000292
【図４８−２】
2010521000.tif 000293
【図４８−３】
2010521000.tif 000294
【図４８−４】
2010521000.tif 000295
【図４８−５】
2010521000.tif 000296
【図４８−６】
2010521000.tif 000297
【図４９−１】
2010521000.tif 000298
【図４９−２】
2010521000.tif 000299
【図４９−３】
2010521000.tif 000300
【図４９−４】
2010521000.tif 000301
【図４９−５】
2010521000.tif 000302
【図４９−６】
2010521000.tif 000303
【図４９−７】
2010521000.tif 000304
【図４９−８】
2010521000.tif 000305
【図４９−９】
2010521000.tif 000306
【図５０−１】
2010521000.tif 000307
【図５０−２】
2010521000.tif 000308
【図５０−３】
2010521000.tif 000309
【図５０−４】
2010521000.tif 000310
【図５０−５】
2010521000.tif 000311
【図５０−６】
2010521000.tif 000312
【図５１−１】
2010521000.tif 000313
【図５１−２】
2010521000.tif 000314
【図５１−３】
2010521000.tif 000315
【図５１−４】
2010521000.tif 000316
【図５１−５】
2010521000.tif 000317
【図５２−１】
2010521000.tif 000318
【図５２−２】
2010521000.tif 000319
【図５２−３】
2010521000.tif 000320
【図５２−４】
2010521000.tif 000321
【図５２−５】
2010521000.tif 000322
【図５２−６】
2010521000.tif 000323
【図５２−７】
2010521000.tif 000324
【図５２−８】
2010521000.tif 000325
【図５３−１】
2010521000.tif 000326
【図５３−２】
2010521000.tif 000327
【図５３−３】
2010521000.tif 000328
【図５３−４】
2010521000.tif 000329
【図５３−５】
2010521000.tif 000330
【図５４−１】
2010521000.tif 000331
【図５４−２】
2010521000.tif 000332
【図５４−３】
2010521000.tif 000333
【図５４−４】
2010521000.tif 000334
【図５４−５】
2010521000.tif 000335
【図５４−６】
2010521000.tif 000336
【図５４−７】
2010521000.tif 000337
【図５４−８】
2010521000.tif 000338
【図５４−９】
2010521000.tif 000339
【図５４−１０】
2010521000.tif 000340
【図５５−１】
2010521000.tif 000341
【図５５−２】
2010521000.tif 000342
【図５５−３】
2010521000.tif 000343
【図５５−４】
2010521000.tif 000344
【図５５−５】
2010521000.tif 000345
【図５５−６】
2010521000.tif 000346
【国際調査報告】
2010521000.tif 000347
2010521000.tif 000348
2010521000.tif 000349
2010521000.tif 000350
2010521000.tif 000351
2010521000.tif 000352
2010521000.tif 000353
2010521000.tif 000354
2010521000.tif 000355
2010521000.tif 000356